(57)【要約】      （修正有）【課題】三宅島や、浅間山、その他あちこちで火山の噴火が起ってその噴気が住民の生活を脅かしているため  火山性ガスの濃度を低下させる手段を提供する。【解決手段】火山の噴気を直流モーターのファンで浄化トンネルに集め、光触媒を塗布したグラスファイバーのフィルターで浄化する。浄化トンネルの外壁に太陽電池のセルを貼り付けてファンの動力である直流を発電しバッテリーに充電する。フィルターに塗布された光触媒は太陽光の紫外線により噴気ガスを分解する。【選択図】図−１
2006289046.tif 000002
【特許請求の範囲】
【請求項１】
火山の噴気や自動車道の排気等の汚染された空気を表面に酸化チタンを塗布したグラスファイバーで作った、トンネルの形状にした、空気浄化システム。
【請求項２】
汚染された空気の吸入口に口径の小さい直流モーターのファンを多数ステンレスの板に固定した空気浄化システム。
【請求項３】
浄化トンネルの外壁に太陽電池のセルを足貼りつけてファンの動力である直流を発電し、バッテリーに充電する空気浄化システム。
【請求項４】
吸入口と排出口を縦列接続できる構造の空気浄化システム。
【請求項５】
トンネルの外壁に扉を設けて、メンテナンス時にトンネル内部に入る事ができる空気清浄システム。
【発明の詳細な説明】
［発明の名称］空気清浄システム
［０００１］
［発明の属する技術分野］
この発明は火山の噴気や、地下自動車道の汚染された空気の浄化器に関するものである。
［０００２］［従来の技術］
三宅島や、浅間山、雲仙岳等、現在活発な活動をしている火山は多数存在している。
それらの火山は噴気を吐き出し、呼吸器に障害を与えるなど、近隣の住民の生活を脅かしている。
この噴気を浄化する必要があるが、従来は何も為されていない。
［０００３］［発明が解決しようとするための手段］
本、発明はこれらの欠点を取り除くものである。
［０００４］［発明が解決しようとする手段］
火山の噴気をファンで集めて光触媒で浄化しようとするものである。
［０００５］［発明の実施の形態］
（イ）火山の噴火口の近くにグラスファイバーで作られて、表面に光触媒の酸化チタンを塗布した吸気ドーム（２）を設置し、浄化トンネル（４）に汚染された空気をステンレスのパネル（９）に取り付けた直流モーターのファン（８）で吸入し、トンネル内部へ送る。
（ロ）送られた汚染空気はトンネル（４）の天井部に設けられた排気窓６）から外部へ排出される。
（ハ）排気窓（６）には酸化チタンを塗布したグラスファイバーで作られた、フィルター（６）を通って外部へ排出される。
（ニ）、トンネル（４）の表面には太陽電池パネル（５）を設置しておき、発電した直流はファンモーター（８）を駆動する為にバッテリー（７）に充電する。
（ニ）吸気ドーム（２）とトンネル（４）はグラスファイバーで作られたヒンジ（３）でトンネル（４）に連結される。
（ホ）［０００６］［発明の効果］火山の噴火で排出される汚染された空気を綺麗にし、人々の生活を容易にする。
（ヘ）［０００７］［図面の簡単な説明］
（ト）［図−１］
図−１は本発明のシステム構造図である。
１浄気システム
２集気ドーム
３ヒンジ
４トンネル
５太陽電池パネル
６フィルター
７バッテリー
８ファン
［０００１］
［発明の属する技術分野］
この発明は火山の噴気や、地下自動車道の汚染された空気の浄化器に関するものである。
［０００２］［従来の技術］
三宅島や、浅間山、雲仙岳等、現在活発な活動をしている火山は多数存在している。
それらの火山は噴気を吐き出し、呼吸器に障害を与えるなど、近隣の住民の生活を脅かしている。
この噴気を浄化する必要があるが、従来は何も為されていない。
［０００３］［発明が解決しようとするための手段］
本、発明はこれらの欠点を取り除くものである。
［０００４］［発明が解決しようとする手段］
火山の噴気をファンで集めて光触媒で浄化しようとするものである。
［０００５］［発明の実施の形態］
（イ）火山の噴火口の近くにグラスファイバーで作られて、表面に光触媒の酸化チタンを塗布した吸気ドーム（２）を設置し、浄化トンネル（４）に汚染された空気をステンレスのパネル（９）に取り付けた直流モーターのファン（８）で吸入し、トンネル内部へ送る。
（ロ）送られた汚染空気はトンネル（４）の天井部に設けられた排気窓６）から外部へ排出される。
（ハ）排気窓（６）には酸化チタンを塗布したグラスファイバーで作られた、フィルター（６）を通って外部へ排出される。
（ニ）、トンネル（４）の表面には太陽電池パネル（５）を設置しておき、発電した直流はファンモーター（８）を駆動する為にバッテリー（７）に充電する。
（ニ）吸気ドーム（２）とトンネル（４）はグラスファイバーで作られたヒンジ（３）でトンネル（４）に連結される。
（ホ）［０００６］［発明の効果］火山の噴火で排出される汚染された空気を綺麗にし、人々の生活を容易にする。
（ヘ）［０００７］［図面の簡単な説明］
（ト）［図−１］
図−１は本発明のシステム構造図である。
１浄気システム
２集気ドーム
３ヒンジ
４トンネル
５太陽電池パネル
６フィルター
７バッテリー
８ファン
９出入口
【図−１】
2006289046.tif 000003
【手続補正書】
【提出日】平成17年9月7日(2005.9.7)
【手続補正１】
【補正対象書類名】明細書
【補正対象項目名】全文
【補正方法】変更
【補正の内容】
【発明の詳細な説明】
【技術分野】
【０００１】この発明は、火山の噴気や、地下自動車道の汚染された空気の浄化器に関するものである。
従来の技術【０００２】三宅島や浅間山、雲仙岳等、現在活発に活動している火山は多数存在している。
これらの火山は噴気を吐き出し、呼吸器の障害など、近隣の住民の生活を脅かしている。
【発明が解決しようとする課題】
【０００３】この噴気を浄化する必要があるが、従来は何も為されていない。
【課題を解決するための手段】
【０００４】この発明はこの欠点を除くものである。
【課題を解決するための手段】
【０００５】火山の噴気をファンで集めて光触媒で浄化しようとするものである。
【発明を実施するための最良の形態】
【０００６】（イ）  火山の噴気口の近くにグラスファイバーで作られて、表面に光触媒の酸化チタンを塗布した吸気ドーム（２）を設置し、浄化トンネル（４）に汚染された空気をステンレスのパネル（９）に取り付けた直流モーターのファン（８）で吸入し、トンネル（４）の内部へ送る。
（ロ）  （ロ）送られた汚染空気はトンネル（４）の天井部に設けられた排気窓（６）から外部へ排出される。
（ハ）  （ハ）この排気窓（６）には光触媒の酸化チタンを塗布したグラスファイバーで作られた、フィルター（６）を設けておく。
（ニ）  （ニ）吸気ドーム（２）とトンネル（４）はグラスファイバーで作られたヒンジ（３）でトンネル（４）に連結され、火山が噴火した時に上部に跳ね上がり噴気を逃がすものである。
（ホ）  トンネル（４）の表面には太陽電池パネル（５）を設置しておき、発電した直流はバッテリー（７）に充電する。
（ヘ）
【発明の効果】
火山の噴火で排出される汚染された空気が綺麗になり、噴気のある
【０００７】地域の人々の生活が容易になる。
さらに地下自動車道路の排気にも応用できる。
【図面の簡単な説明】
【０００７】
【図１】図−１は本発明のシステム、構造図である。  １浄気システム  ２集気ドーム  ３ヒンジ  ４トンネル  ５太陽電池パネル  ６フィルター  ７バッテリー  ８ファン